(57)【要約】【課題】台風等の高波による衝撃的な荷重が扉体部の転倒方向に作用しても、基台の浮き上がりを防止する。【解決手段】起伏ゲート式防波堤１１である。基台１４ａ上で、基端側の回転軸１２ａを支点として起伏動作する扉体１２と、中間の連結部１３ａで折れ曲がり自在に構成され、一方端部１３ｂは扉体１２の頂部に、他方端部１３ｃは扉体１２の倒伏側の回転軸１２ａから所定距離離れた基台１４ａ上の位置に、それぞれ回転自在に枢支されたテンションロッド１３と、基台１４ａ部に設けた部屋１４ａｂと、部屋１４ａｂの水が出入りする連通部１４ａａより離れて設けた開口部１４ａｃに中心部２５ａを回転自在に枢支し、テンションロッド１３の他方端部１３ｃに一方の外周端部２５ｂを連結した扇形の錘２５を備えた。【効果】部屋の容積増加で部屋内の水が膨張して水圧が下がるのと同時に港外側から下向きの水圧で基礎が押さえられて基礎の浮き上がりが防止できる。【選択図】図１
2010255312.tif 000002
【特許請求の範囲】
【請求項１】
扉体が浮上する起伏ゲート式防波堤であって、
基礎上で、基端側の回転軸を支点として起伏動作する扉体と、
中間の連結部で折れ曲がるように構成され、一方端部は前記扉体の頂部側に、他方端部は前記扉体が倒伏する側の前記回転軸から所定の距離だけ離れた基礎上の位置に、それぞれ回転自在に枢支されたテンションロッドと、
水の出入りが可能なように前記基礎部に設けられた部屋と、
前記部屋の前記水が出入りする連通部より離れた部分に設けた開口部に中心部を回転自在に枢支し、前記テンションロッドの他方端部に一方の外周端部を連結するか、または前記テンションロッドの連結部から連結部材を介して一方の外周端部と連結することで、前記扉体の浮上直前には部屋内に退入しており、前記扉体の浮上完了時には部屋から突出するように構成した扇形の錘と、
を備えたことを特徴とする起伏ゲート式防波堤。
【請求項２】
前記部屋を港外側に設けたことを特徴とする請求項１に記載の起伏ゲート式防波堤。
【請求項３】
前記部屋をテンションロッドの他方端部に設け、扇形の錘の一方の外周端部と前記テンションロッドの他方端部を枢支したことを特徴とする請求項１又は２に記載の起伏ゲート式防波堤。
【請求項４】
前記部屋をテンションロッドの他方端部と扉体の回転軸の中間部に設け、扇形の錘の一方の外周端部と前記テンションロッドの連結部を連結部材で連結したことを特徴とする請求項１又は２に記載の起伏ゲート式防波堤。
【請求項５】
扉体が浮上する起伏ゲート式防波堤であって、
基礎上で、基端側の回転軸を支点として起伏動作する扉体と、
中間の連結部で折れ曲がるように構成され、一方端部は前記扉体の頂部側に、他方端部は前記扉体が倒伏する側の前記回転軸から所定の距離だけ離れた基礎上の位置に、それぞれ回転自在に枢支されたテンションロッドと、
水の出入りが可能なように前記テンションロッドの他方端部近傍の基礎部に設けられた部屋と、
この部屋内を移動自在に設けられたピストン形の錘と、を備え、
前記錘に連結されたロッドの先端を前記テンションロッドの他方端部と回転自在に枢支することで、扉体の浮上直前には前記ロッドが部屋内に退入しており、扉体の浮上完了時には前記ロッドが部屋から突出するように構成したことを特徴とする起伏ゲート式防波堤。
【請求項６】
前記部屋内における前記錘のロッド側にばねを設けたことを特徴とする請求項５に記載の起伏ゲート式防波堤。
【請求項７】
前記基礎に開閉弁を設けたことを特徴とする請求項１〜６の何れかに記載の起伏ゲート式防波堤。
【請求項８】
前記部屋に開閉弁を設けたことを特徴とする請求項１〜６の何れかに記載の起伏ゲート式防波堤。
【発明の詳細な説明】
【技術分野】
【０００１】
本発明は、例えば津波や高潮対策として港湾に設置される起伏ゲート式防波堤に関するもので、特に扉体を格納する基礎部の台風等の高波に対する安定性向上を図った起伏ゲート式防波堤に関するものである。
【背景技術】
【０００２】
従来の起伏ゲート式防波堤として、浮力によって扉体の起伏を行うものがある（例えば特許文献１）。この起伏ゲート式防波堤は、扉体の空気室に給気しつつ、空気室内の海水を排水することで、扉体を浮上させるものである。
【０００３】
この特許文献１で提案された起伏ゲート式防波堤の基礎部は、図１２に示すように、捨石１ａによって整地された地盤２上に基礎３を敷設し、基礎３の周辺部も捨石１ｂによって被覆する構造で、この基礎３の上に扉体４を設置していた。
【０００４】
このような起伏ゲート式防波堤では、扉体４の浮上時は、図１３に示すように、断面形状がＬ字型であるため、港外側の水位上昇時の水重量を基礎３部に鉛直下向きに作用する荷重（白抜き矢印）として利用でき、津波・高潮時には通常時よりも安定性が高くなる。
【０００５】
しかしながら、段波津波や台風などの高波により、衝撃的な荷重が扉体４を転倒させる方向（図１４に白抜き矢印で示す方向）に作用した場合には、図１４に黒塗り矢印で示した方向に基礎３部が浮き上がる場合があった。
【０００６】
この対策として、地盤に杭を打つなどして基礎部の安定性を向上させる工法が考えられるが、このような工法ではコストが大幅に上昇する。
【先行技術文献】
【特許文献】
【０００７】
【特許文献１】特開２００３−２２７１２５号公報
【発明の概要】
【発明が解決しようとする課題】
【０００８】
本発明が解決しようとする問題点は、起伏ゲート式防波堤の従来の基礎部構造では、衝撃的な荷重が扉体部を転倒させる方向に作用した場合に、基礎部が浮き上がる場合があるという点である。
【課題を解決するための手段】
【０００９】
本発明の起伏ゲート式防波堤は、
衝撃的な荷重が扉体部を転倒させる方向に作用した場合にも、基礎部が浮き上がることを防止するために、
扉体が浮上する起伏ゲート式防波堤であって、
基礎上で、基端側の回転軸を支点として起伏動作する扉体と、
中間の連結部で折れ曲がるように構成され、一方端部は前記扉体の頂部側に、他方端部は前記扉体が倒伏する側の前記回転軸から所定の距離だけ離れた基礎上の位置に、それぞれ回転自在に枢支されたテンションロッドを有し、
さらに、
1) 水の出入りが可能なように前記基礎部に設けられた部屋と、
前記部屋の前記水が出入りする連通部より離れた部分に設けた開口部に中心部を回転自在に枢支し、前記テンションロッドの他方端部に一方の外周端部を連結するか、または前記テンションロッドの連結部から連結部材を介して一方の外周端部と連結することで、前記扉体の浮上直前には部屋内に退入しており、前記扉体の浮上完了時には部屋から突出するように構成した扇形の錘を備えたことを、
または、
2)水の出入りが可能なように前記テンションロッドの他方端部近傍の基礎部に設けられた部屋と、
この部屋内を移動自在に設けられたピストン形の錘を備え、
前記錘に連結されたロッドの先端を前記テンションロッドの他方端部と回転自在に枢支することで、扉体の浮上直前には前記ロッドが部屋内に退入しており、扉体の浮上完了時には前記ロッドが部屋から突出するように構成したことを最も主要な特徴としている。
【００１０】
本発明の起伏ゲート式防波堤は、扉体の浮上完了時には、基礎に設けた部屋から錘又はロッドが出て部屋の容積が増加するので、部屋内の水が膨張して水圧が下がるのと同時に港外側から下向きの水圧が作用して基礎が押さえられ、基礎の浮き上がりを防止する。
【発明の効果】
【００１１】
本発明では、扉体の浮上完了時に、基礎に設けた部屋から錘又はロッドが出ているようにすることで、部屋の容積増加により部屋内の水が膨張して水圧が下がるのと同時に港外側からの下向きの水圧により基礎が押さえられて基礎の浮き上がりが防止される。
【図面の簡単な説明】
【００１２】
【図１】第１の本発明の起伏ゲート式防波堤の概略構成図で、（ａ）は浮上直前の図、（ｂ）は浮上完了時の図である。
【図２】図１に示した本発明の起伏ゲート式防波堤の平面図である。
【図３】本発明の起伏ゲート式防波堤のゲート係留部とフックの係合状態を示す概略側面図で、（ａ）倒伏時の図、（ｂ）は倒伏する直前の図である。
【図４】図１に示した本発明の起伏ゲート式防波堤において、基礎を下向きに押さえ付ける荷重について説明する図である。
【図５】（ａ）は図１に示した本発明の起伏ゲート式防波堤において、基礎に設けた部屋の開口部に隙間が発生した場合の図、（ｂ）（ｃ）は突起を設けて隙間の発生を防止する例を説明する図である。
【図６】図１に示した本発明の起伏ゲート式防波堤において、部屋の圧力上昇の過程を説明する図で、（ａ）は浮上状態の図、（ｃ）は錘が元の位置に戻った状態の図である。
【図７】図１に示した本発明の起伏ゲート式防波堤において、基礎下側の圧力上昇時に圧力差を解放するための開閉弁を説明する図である。
【図８】第２の本発明の起伏ゲート式防波堤の概略図で、（ａ）は浮上直前の図、（ｂ）は浮上完了時の図である。
【図９】第２の本発明の起伏ゲート式防波堤に設ける開閉弁の概略図で、（ａ）は基礎に設ける場合、（ｂ）は部屋に設ける場合の図である。
【図１０】（ａ）は第３の本発明の起伏ゲート式防波堤の概略図、（ｂ）は扉体の浮上直前の要部拡大図、（ｃ）は扉体の浮上完了時に要部拡大図である。
【図１１】第３の本発明の起伏ゲート式防波堤に設ける開閉弁の概略図で、（ａ）は基礎に設ける場合、（ｂ）は部屋に設ける場合の図である。
【図１２】特許文献１で提案された起伏ゲート式防波堤の基礎部の構造を示した図である。
【図１３】図１２で示した基礎部構造の場合に、港外側の水位が上昇することによって安定性が向上することを示した図である。
【図１４】図１２で示した基礎部構造の場合に、高波による衝撃的な荷重によって基礎部の安定性が低下することを示した図である。
【発明を実施するための最良の形態】
【００１３】
本発明では、衝撃的な荷重が扉体部を転倒させる方向に作用した場合にも、基礎部が浮き上がることを防止するという目的を、扉体の浮上完了時には、基礎に設けた部屋から錘又はロッドが出て部屋の容積を増加させることで実現した。
【実施例】
【００１４】
以下、本発明を実施するための各種の形態と共に最良の形態を、図１〜図１１を用いて詳細に説明する。
図１は第１の本発明の起伏ゲート式防波堤を説明する概略構成図、図２は図１の平面図、図３は第１の本発明の起伏ゲート式防波堤のゲート係留部とフックの係合状態を示す概略側面図である。
【００１５】
図１及び図２において、１１は起伏ゲート式防波堤であり、例えば、扉体１２と、この扉体１２の浮上時に扉体１２が転倒しないように、港湾Ｒの港外側に設けられた複数のテンションロッド１３を備えた構成である。
【００１６】
これら図１及び図２に示した例では、前記扉体１２は、複数組の扉体ブロックＢを幅方向に並設したもので、隣接した扉体ブロックＢ同士をロープで連結している。前記扉体１２は、基端側の回転軸１２ａを、例えば港湾Ｒの底部に設けた収納部１４の基台１４ａに、軸受１５によって回転自在に枢支することで、前記回転軸１２ａを支点として扉体１２が起伏するものを示している。
【００１７】
また、前記テンションロッド１３は、例えばその中間の連結部１３ａで二つに折れ曲がるように形成されている。そして、扉体１２の浮上時に上端側に位置する一方端部１３ｂは前記扉体１２の頂部側に、前記浮上時に下端側に位置する他方端部１３ｃは、扉体１２が倒伏する側の前記回転軸１２ａから所定の距離だけ離れた位置に、それぞれ回転が自在なように枢支されている。
【００１８】
前記扉体１２の例えば頂部側には空気室１２ｂが設けられ、給気装置１６であるレシーバタンク１６ａとコンプレッサ１６ｂにより、前記空気室１２ｂに給気することによって、扉体１２の浮上に必要な浮力を得るように構成されている。なお、１６ｃは給気管を示す。
【００１９】
また、前記扉体１２の裏面１２ｃには、貫通孔部１７ａを設けたゲート係留部１７を取り付けている。このゲート係留部１７は、必ずしも全ての扉体ブロックＢに取り付ける必要はない。
【００２０】
一方、前記扉体１２を水中で格納する収納部１４における、格納状態にある扉体１２の裏面１２ｃと相対する部分には、図３に示すように、転向滑車１８を設置している。
【００２１】
また、前記収納部１４における、前記扉体１２の裏面に取り付けられたゲート係留部１７と相対する位置には、フック１９を設置している。このフック１９は、中央部に回動支点１９ａを、上部側には前記ゲート係留部１７に係合する２つの爪状突起１９ｂ，１９ｃを有すると共に、下部側には錘１９ｄを設けている。図示しないが、転向滑車１８及びフック１９の回動支点１９ａはそれぞれ収納部に設けられた取付け部材に回転が自在なように支持されている。
【００２２】
そして、一端側を前記フック１９の下部側の錘１９ｄに取り付けた係留ロープ２０の他端側を、前記転向滑車１８を介して水面上に引き出し、固定装置２１で固定している。
【００２３】
図１〜図３の例では、引き波時に、浮上状態にある扉体１２が所定の角度まで倒伏した場合に、扉体１２を支持するストッパ装置２２を設けている。このストッパ装置２２は、前記テンションロッド１３の他方端部１３ｃより扉体１２の若干回転軸１２ａ側で、基端側が回転自在に枢支され、先端側はこの基端を中心として自身の浮力によって起立揺動する支持ロッド２２ａを有している。
【００２４】
そして、支持ロッド２２ａがガイド２２ｂによって位置決めされる位置まで浮上して起立する際は、浮上するのに従って、支持ロッド２２ａの中間に先端が枢支された固定ロッド２２ｃの基端が支持ロッド２２ａの基端側に移動してくる。
【００２５】
ガイド２２ｂによる位置決め位置まで支持ロッド２２ａが浮上すると、固定ロッド２２ｃの基端は、支持ロッド２２ａの浮上と共に、起立状態から倒伏してくる固定フック２２ｄに係合して、支持ロッド２２ａの倒伏を防止する。
【００２６】
なお、この固定フック２２ｄは、支持ロッド２２ａの倒伏時には、起立して固定ロッド２２ｃの基端の係合を解除するようになっている。この固定フック２２ｄの起立動作と前記倒伏動作は、例えば一端側を支持ロッド２２ａに固定し、中間部を固定フック２２ｄの基端側に捲き回した係留ロープ２３ａの他端を固定した動滑車に巻き回した係留ロープ２３ｂを、支持ロッド２２ａの起伏動作に追従してウインチ２４により繰り出しや巻き取ることにより行われる。
【００２７】
本発明では、上記構成を有する起伏ゲート式防波堤１１を取り付ける基礎すなわち基台１４ａに、基台１４ａの下部の捨石１ａ領域と連通する連通部１４ａａを介して水の出入りが可能な部屋１４ａｂを設けている。
【００２８】
例えば図１に示した本発明の起伏ゲート式防波堤１１では、基台１４ａのテンションロッド１３の他方端部１３ｃ近傍に、前記部屋１４ａｂを設けている。そして、この部屋１４ａｂの前記連通部１４ａａより離れた部分に開口部１４ａｃを設けている。
【００２９】
前記部屋１４ａｂの開口部１４ａｃには、その中心部２５ａを支点として回転が自在なように扇形の錘２５を枢支し、部屋１４ａｂの開口部１４ａｃを塞いでいる。そして、この扇形の錘２５の、部屋１４ａｂから外側に出ている一方の外周端部２５ｂを前記テンションロッド１３の他方端部１３ｃに回転が自在なように連結している。
【００３０】
このような構成とすることで、扉体１２の浮上に伴って部屋１４ａｂ内にある錘２５が部屋１４ａｂから突出した時に生じる部屋１４ａｂの容積増大（図１参照）に伴う圧力低下が、基台１４ａの下側の捨石１ａ領域に伝播して、基台１４ａの上下で圧力差が発生する。
【００３１】
この圧力差により、扉体１２の浮上完了時には、図４に示すように、基台１４ａを上から下向きに押え付ける方向の力が発生することになって、基台１４ａの安定性が高くなる。
【００３２】
本発明においては、扉体１２の浮上に伴い、前記錘２５の回転が最大となった場合も、部屋１４ａｂの開口部１４ａｃに隙間ができないような中心角に扇形を形成することは言うまでもないことである。図５（ａ）に示すように、部屋１４ａｂの開口部１４ａｃに大きな隙間ができると、基台１４ａの上方に存在する水が部屋１４ａｂを通って地盤２に連通して安定性が悪くなるからである。
【００３３】
しかしながら、設計上、そのような扇形状とすることが難しい場合には、図５（ｂ）（ｃ）に示すように、錘２５の回転位置近傍に突起１４ｂを設けることで、錘２５の回転が最大となった場合も、部屋１４ａｂの開口部１４ａｃに隙間ができないようにすればよい。
【００３４】
上記構成の本発明においては、扉体１２の起立時、台風等の高波による衝撃的な荷重が扉体１２を転倒させる方向に作用した場合にも、基台１４ａが浮き上がることを効果的に防止することができる。
【００３５】
しかしながら、扉体１２の倒伏により部屋１４ａｂから引出された錘２５が元の位置に戻る（部屋１４ａｂ内に退入する）際には、部屋１４ａｂの内部に存在する水が圧縮されることになる。この時、部屋１４ａｂ内の圧力が上昇し、前述の現象とは正反対の効果により基台１４ａの下側の圧力が上側と比較して高くなり、安定性が低下するという現象が起こり得る（図６参照）。
【００３６】
このような状態の発生を防止するためには、基台１４ａの下側の圧力が上側に比べて高くなるときのみ、その圧力差を開放するための開閉弁１４ｃを、例えば図７に示すように、前記部屋１４ａｂに設ければよい。なお、図示省略したが、開閉弁１４ｃは基台１４ａに設けても良い。
【００３７】
この開閉弁１４ｃは機械的に制御するものではなく、自然の力で開閉するもので、圧力差が発生すれば、その圧力差によって一方の方向についてのみ自然に開放する仕組みになっている。この開閉弁１４ｃは、扉体１２の幅方向に対して等間隔に複数個、例えば１０mに１〜２個設ける。
【００３８】
なお、上記構成を有する本発明の起伏ゲート式防波堤１１は、例えば地震が発生して津波警報が発令されたときには、以下の操作を行うことによって、津波が港湾Ｒの港内側に侵入するのを防止する。
【００３９】
〔格納（係留）時〕
扉体１２が収納部１４の格納位置に着床した状態では、図３（ａ）に示すように、上側の前記爪状突起１９ｂが前記ゲート係留部１７の貫通孔部１７ａに係合している。短時間での浮上を可能とするために、この状態で、扉体１２の浮上に必要な浮力を得るまで、扉体１２の空気室１２ｂに空気を供給しておく。なお、空気室１２ｂへの圧縮空気の供給は、例えば空気室１２ｂの開口部の直下に給気口がくるように配置された給気管１６ｃを介して行う。
【００４０】
また、前記係合状態が外れないように、係留ロープ２０に張力をかけ、前記爪状突起１９ｂが前記貫通孔部１７ａに係合する方向に回転力を付与する。この際、フック１９の回動支点１９ａから扉体１２の係留支持点までの距離ａより、前記回動支点１９ａから係留ロープ２０の支持点までの距離ｂを長くしておけば、係留ロープ２０に作用する張力を低減することができる。この張力の低減により、使用する係留ロープ２０や転向滑車１８の小径化が可能になる。
【００４１】
このとき、係留ロープ２０に作用する張力を測定するロードセルをさらに設け、日常、前記張力を測定し、当該測定張力が一定となるように、空気室１２ｂへの空気補給の調整を行えば、常に扉体１２の起立準備が完了した状態を維持できる。この際、空気補給だけでは係留ロープ２０の張力が回復しない場合は、浮上操作または浚渫などのメンテナンスを行う。
【００４２】
なお、図１に示したストッパ装置２２を設けている場合は、支持ロッド２２ａは扉体１２によって倒伏状態に押さえ込まれており、この状態で、係留ロープ２３ｂの巻き取り及び繰り出すウインチ２４のブレーキを開放する。
【００４３】
また、ストッパ装置２２を設けている場合は、支持ロッド２２ａの傾斜を確認し、確認時に扉体１２の裏面側のスペースを利用してストッパ装置２２の動作確認を行う。
【００４４】
〔扉体１２の浮上（起立）操作時〕
例えば地震の発生により津波警報が発令されて浮上指令が出た時には、固定装置２１を緩めて係留ロープ２０の前記張力を開放する。この張力の解放により、錘１９ｄの重力によりフック１９が回転し、上側の爪状突起１９ｂの貫通孔部１７ａへの係合が解除される。上側の爪状突起１９ｂの貫通孔部１７ａへの係合が解除されると、予め供給されている圧縮空気による空気室１２ｂの浮力により、通常水位まで扉体１２が浮上する。そして、扉体１２の浮上に伴って、部屋１４ａｂ内にある錘２５が部屋１４ａｂから突出する。
【００４５】
なお、図１に示したストッパ装置２２を設けている場合は、扉体１２の浮上に連動して係留ロープ２３ｂが繰り出され、支持ロッド２２ａが浮上する。浮上した支持ロッド２２ａは、ガイド２２ｂによって位置決めされ、固定フック２２ｄによって倒れ込みが防止される。
【００４６】
浮力によって通常水位まで浮上した扉体１２は、港湾Ｒの港外側から津波がきた場合には、津波の押波の力によって、図１（ａ）に示すように、扉体１２は垂直に起立し、津波が港湾Ｒの港内側に侵入するのを防止する。また、台風等の高波による衝撃的な荷重が扉体１２を転倒させる方向に作用した場合にも、基台１４ａが浮き上がるのを防止する。扉体１２の起立時、台風等の高波による衝撃的な荷重が扉体１２を転倒させる方向に作用するに伴い、錘２５の回転が最大になっても、部屋１４ａｂの開口部１４ａｃに隙間ができないようにしているので、基台１４ａが浮き上がることはない。
【００４７】
一方、引き波がきて扉体１２が倒伏しようとしても、図１に示したストッパ装置２２を設けている場合は、扉体１２が所定の角度まで倒伏すると、支持ロッド２２ａによって支持される。
【００４８】
〔扉体１２の倒伏操作時〕
扉体１２の上端部に設けた排気弁（図示せず）を開放して、空気室１２ｂ内の空気を排気しつつ、空気室１２ｂ内に海水を入れて扉体１２を倒伏させる。なお、図１に示したストッパ装置２２を設けている場合は、この扉体１２の倒伏に連動してウインチ２４を作動して係留ロープ２３ｂを巻き取り、支持ロッド２２ａを倒伏させる。
【００４９】
この扉体１２の倒伏により、図３（ｂ）のようにゲート係留部１７の下端が下側の爪状突起１９ｃを押してフック１９を回転させ、上側の爪状突起１９ｂをゲート係留部１７の貫通孔部１７ａに係合させる（図３（ａ）の状態）。
【００５０】
その後は、前記係留ロープ２０に張力をかけ、空気室１２ｂ内の海水を排水してから排気弁を閉める。続いて給気管及び給気口を介して空気室１２ｂに空気を供給して、扉体１２の倒伏状態を保持する。作業完了後は、前記の格納時の作業に戻る。
【００５１】
以上、説明したように、本発明の起伏ゲート式防波堤１１では、ゲート係留部１７に係合させたフック１９の係合を解除するだけで、扉体１２を浮上させることができるので、扉体１２を短時間で浮上させることができる。
【００５２】
そして、扉体１２の浮上時、台風等の高波による衝撃的な荷重が扉体１２を転倒させる方向に作用した場合にも、基台１４ａを上から下向きに押え付ける方向の力が発生して、基台１４ａが浮き上がることを防止することができる。
【００５３】
本発明は、前記の例に限るものではなく、各請求項に記載の技術的思想の範疇であれば、適宜実施の形態を変更しても良いことは言うまでもない。
【００５４】
例えば、前記部屋１４ａｂの設置位置は、テンションロッド１３の他方端部１３ｃ近傍でなくても良い。図８に示すように、前記部屋１４ａｂをテンションロッド１３の他方端部１３ｃと扉体１２の回転軸１２ａの中間部に設けても良い。この場合、扇形の錘２５の一方の外周端部２５ｂは、ワイヤロープ２６（或いはチェーン）により前記テンションロッド１３の連結部１３ａに連結する。
【００５５】
ワイヤロープ２６（或いはチェーン）は、扉体１２の浮上直前に錘２５を持ち上げ始め（図８（ａ））、扉体１２の浮上が完了した時点（図８（ｂ））で錘２５を完全に持ち上げるような長さとしておく。
【００５６】
この図８に示す場合も、錘２５の持ち上げにより、基台１４ａの下側の圧力を低下させることができ、基台１４ａには下向きの荷重が作用して基台１４ａの安定化が図れる。この場合も、扉体１２の倒伏に伴って錘２５が部屋１４ａｂ内に入ると基台１４ａの下側の圧力が上昇することになるので、上昇した圧力を開放する開閉弁１４ｃを設けることが望ましい。この開閉弁１４ｃは、図９（ａ）のように基台１４ａに設けても、また、図９（ｂ）のように部屋１４ａｂに設けても良い。
【００５７】
また、扇形の錘２５に換えて、図１０に示すようなピストン形の錘２７を設けても良い。この場合、テンションロッド１３の他方端部１３ｃ近傍の基台１４ａ部に設けた部屋１４ａｂ内に前記錘２７を移動自在に内装し、この錘２７に連結されたロッド２７ａの先端をテンションロッド１３の他方端部１３ｃと回転自在に枢支する。
【００５８】
このようにすることで、前記ロッド２７ａが部屋内に退入した扉体１２の浮上直前（図１０（ｂ））から、扉体１２の浮上完了時（図１０（ａ））に至った時には、前記ロッド２７ａは部屋１４ａｂから突出する。このロッド２７ａの突出に伴い、ロッド２７ａが突出する方向に部屋１４ａｂ内を錘２７が移動して（図１０（ｃ））部屋１４ａｂ内の圧力が低下し、基台１４ａの下側の圧力を低下させる。従って、基台１４ａには下向きの荷重が作用して基台１４ａの安定化が図れる。
【００５９】
ところで、扉体１２の倒伏時にロッド２７ａが退入する方向に部屋１４ａｂ内を錘２７がスムーズに移動しないと、部屋１４ａｂを損傷してしまうおそれがある。そこで、扉体１２の倒伏に伴って錘２７が部屋１４ａｂ内をスムーズに移動できるように、部屋１４ａｂ内における錘２７のロッド２７ａ側にばね２８を設けることが望ましい。但し、錘２７の重量だけで元の位置に復帰する場合は、ばね２８を設けなくても良いことは言うまでもない。
【００６０】
このピストン形の錘２７を設けた場合も、扉体１２の倒伏に伴ってロッド２７ａが部屋１４ａｂ内に退入すると、基台１４ａの下側の圧力が上昇するので、図１１（ａ）（ｂ）に示すように、上昇した圧力を開放する開閉弁１４ｃを、基台１４ａ又は部屋１４ａｂに設けることが望ましい。
【産業上の利用可能性】
【００６１】
本発明は、高波対策として港湾に設置するだけでなく、河川に設置することも可能である。また、船舶が航行する河川や港では、水深が浅くなるのを防止するためにピットを設け、このピットに基台を配置することも可能である。
【符号の説明】
【００６２】
１１    起伏ゲート式防波堤
１２    扉体
１２ａ    回転軸
１４ａ    基台
１４ａａ    連通部
１４ａｂ    部屋
１４ａｃ    開口部
１４ｃ    開閉弁
１５    軸受
２５    扇形の錘
２５ａ    中心部
２５ｂ    一方の外周端部
２７    ピストン形の錘
２７ａ    ロッド
２８    ばね
【図１】
2010255312.tif 000003
【図２】
2010255312.tif 000004
【図３】
2010255312.tif 000005
【図４】
2010255312.tif 000006
【図５】
2010255312.tif 000007
【図６】
2010255312.tif 000008
【図７】
2010255312.tif 000009
【図８】
2010255312.tif 000010
【図９】
2010255312.tif 000011
【図１０】
2010255312.tif 000012
【図１１】
2010255312.tif 000013
【図１２】
2010255312.tif 000014
【図１３】
2010255312.tif 000015
【図１４】
2010255312.tif 000016